(57)【要約】【課題】自局の発光素子が出力する光信号の一部を自局の受信回路が受光する光クロストークと自局が送信する電気データ信号の一部が自局の受信回路に干渉する電気クロストークによる受信特性の劣化を抑制したクロストーク除去方法、クロストーク除去回路、光送受信装置及び光伝送システムを提供する。【解決手段】入力される電気データ信号を分岐するバッファ回路７と、バッファ回路の一方の出力信号の周波数特性を調整する周波数特性調整回路９と、周波数特性調整回路の出力信号の振幅レベルを調整する振幅調整回路８と、伝送用光ファイバ１６から入力される光信号を変換した電気信号から前記振幅調整回路の出力信号を差し引く減算回路１１とを有するクロストーク除去回路１７を備える。【選択図】        図１
2005027196.tif 000002
【特許請求の範囲】
【請求項１】
入力される電気データ信号を２つに分岐し、
分岐された一方の電気データ信号を光信号に変換して送信し、
分岐された他方の電気データ信号を電気クロストークの周波数特性とほぼ等しい周波数特性を有する周波数特性調整回路により周波数調整し、
光ファイバを介して受信される光信号を変換した電気信号から周波数調整された電気信号を差し引くことで、送信信号が受信信号に漏れこむ電気クロストークを除去するクロストーク除去方法。
【請求項２】
入力される電気データ信号を２つに分岐し、
分岐された一方の電気データ信号を光信号に変換して送信し、
分岐された他方の電気データ信号を光クロストークの周波数特性とほぼ等しい周波数特性を有する周波数特性調整回路により周波数調整し、
光ファイバを介して受信される光信号を変換した電気信号から周波数調整された電気信号を差し引くことで、送信信号が受信信号に漏れこむ光クロストークを除去するクロストーク除去方法。
【請求項３】
入力される電気データ信号を分岐する分岐回路と、
前記分岐回路の一方の出力信号の周波数特性を調整する周波数特性調整回路と、
前記周波数特性調整回路の出力信号の振幅レベルを調整する振幅調整回路と、光ファイバから入力される光信号を変換した電気信号から前記振幅調整回路の出力信号を差し引く減算回路とを、備えたクロストーク除去回路。
【請求項４】
前記周波数特性調整回路は、電気クロストークの周波数特性とほぼ等しい周波数特性を有する請求項３に記載のクロストーク除去回路。
【請求項５】
前記周波数特性調整回路は、光クロストロークの周波数特性とほぼ等しい周波数特性を有する請求項３に記載のクロストーク除去回路。
【請求項６】
前記分岐回路は、電気信号を入力して正相出力と逆相出力を送出するバッファ回路であり、
前記周波数特性調整回路は、前記バッファ回路の逆相出力の高域成分を通過させる高域通過型フィルタであり、
前記振幅調整回路は、抵抗素子である請求項４に記載のクロストーク除去回路。
【請求項７】
前記分岐回路は、電気信号を入力して正相出力と逆相出力を送出するバッファ回路であり、
前記周波数特性調整回路は、前記バッファ回路の逆相出力の低域成分を通過させる低域通過型フィルタであり、
前記振幅調整回路は、抵抗素子である請求項５に記載のクロストーク除去回路。
【請求項８】
周波数特性が調整される信号の位相を調整する位相調整回路を更に備えた請求項３から７のいずれか１つに記載のクロストーク除去回路。
【請求項９】
請求項４、６、８のいずれか１つに記載のクロストーク除去回路と、請求項５、７、８のいずれか１つに記載のクロストーク除去回路とを、
備えたクロストーク除去回路。
【請求項１０】
請求項３から９のいずれか１つに記載のクロストーク除去回路と、
前記分岐回路の他方の出力信号を入力する駆動回路と、前記駆動回路の出力に基づいて駆動し光信号を出力する発光素子とを有する光送信部と、
前記発光素子から出力される光信号と伝送用光ファイバから入力される光信号を受信して電気信号に変換する受光素子と、前記受光素子の出力を増幅するプリアンプとを有する光受信部と、
前記減算回路により前記光受信部の出力から前記振幅調整回路の出力を差し引いた信号を増幅する増幅回路と、
前記増幅回路の出力信号からデータ信号とクロック信号を再生する電気回路とを、備えた光送受信装置。
【請求項１１】
請求項１０に記載の光送受信装置として、送信する光信号と受信する光信号の波長が異なる２つの光送受信装置を備え、前記２つの光送受信装置を光ファイバで接続して対向させた光伝送システム。
【発明の詳細な説明】
【０００１】
【発明の属する技術分野】
本発明は、入力される電気信号を光信号に変換して伝送用光ファイバに出力するとともに、伝送用光ファイバから入力される光信号を電気信号に変換して出力する光送受信装置に係るもので、特に、送信する光信号が受信される光信号に漏洩する光クロストークや、電気データ信号を光信号に変換して送信する際に電気信号が周辺回路に干渉する電気クロストークを除去するためのクロストーク除去方法、クロストーク除去回路、並びにかかるクロストーク除去回路を備えた光送受信装置及び光伝送システムに関する。
【０００２】
【従来の技術】
図６は、従来の光送受信装置を示すブロック図である（例えば下記の特許文献１参照）。図６に示すように、従来の光送受信装置２６は、入力される電気信号を光信号に変換する発光素子１、入力される光信号を電気信号に変換する受光素子２、受光素子２の微弱な出力電気信号を低雑音増幅するプリアンプ４、発光素子１と伝送用光ファイバ１６及び受光素子２に光学的に結合された波長多重分離素子３により構成される光モジュール５と、この光モジュール５の発光素子１を駆動するための駆動回路６とを備えている。
【０００３】
【特許文献１】
特許第３００６００４号公報
【０００４】
また、光送受信装置２６は、入力される電気データ信号を分岐して駆動回路６に出力する正相出力とその逆位相の出力となる逆相出力を送出するバッファ回路７、バッファ回路７の逆相出力の出力振幅を減衰させ調整してプリアンプ４の出力から引き算するための振幅調整回路８と位相調整回路１０及び減算回路１１から構成されるクロストーク除去回路２５を備えている。
【０００５】
さらに、光送受信装置２６は、減算回路１１を介してクロストークが差し引かれた光モジュール５のプリアンプ４から出力される電気信号の振幅を一定に制御して出力するＡＧＣアンプ１２と、ＡＧＣアンプ１２が出力する電気信号からクロック成分を抽出し再生するクロック再生回路１３と、ＡＧＣアンプ１２が出力する電気信号からクロック再生回路１３が出力するクロック信号を用いてデータ信号を再生するデータ再生回路１４とを備えている。
【０００６】
ここで、駆動回路６へ入力される電気信号がハイレベルであった場合にはプリアンプ４の出力もハイレベルに相当するレベルであるとしている。この関係が逆の場合には位相調整回路１０への入力はバッファ回路７の正相出力を２分岐するか、または、バッファ回路７の逆相出力に反転バッファ回路（不図示）を挿入し位相調整回路１０に入力する。
【０００７】
光送受信装置２６に入力された電気データ信号は、バッファ回路７により２分岐され、一方の正相出力は駆動回路６に入力される。駆動回路６により発光素子１を駆動し光信号に変換され、結合分岐器として動作する波長多重分離素子３を介して伝送用光ファイバ１６に入力されて光信号として伝送される。一方、伝送用光ファイバ１６から入力された光信号は、波長多重分離素子３を介して受光素子２に入力され、プリアンプ４により低雑音増幅される。
【０００８】
ここで、図６に実線の矢印で表した光クロストークと点線の矢印で表した電気クロストークにより、自局が送信した信号も一緒に出力される。バッファ回路７の他方の逆相出力は位相調整回路１０により、プリアンプ４の出力の中に含まれるクロストークと位相が合うように調整され、振幅調整回路８により、光クロストークレベルと電気クロストークレベルの和と等しくなるように合わせられている。そのため、減算回路１１によりプリアンプ４の出力から振幅調整回路８が出力する信号が引き算されると、自局が送信するクロストークは振幅調整回路８の出力により打ち消されＡＧＣアンプ１２へ出力される。この信号は、ＡＧＣアンプ１２により増幅され、クロック再生回路１３とデータ再生回路１４によりデータ信号とクロック信号が再生されて出力される。
【０００９】
このように、従来の光送受信装置でも、入力される光信号からクロストークを差し引き、データ信号とクロック信号を再生して出力するとともに、入力される電気データ信号を光信号に変換して出力することができ、一芯の伝送用光ファイバで送受信用の光信号をやり取りする一芯双方向の光通信を具現化することができる。
【００１０】
【発明が解決しようとする課題】
しかしながら、従来の光送受信装置においては、図６の光モジュール５内での発光素子１が出力した光信号の一部が受光素子２に入力される（図６中の実線の矢印で示す）光クロストークに加え、発光素子１に入力される前の電気信号がプリアンプ４や周辺の回路パターンに干渉する（図６中の点線の矢印で示す）電気クロストークが生じてしまう。図７と図８は、光クロストークと電気クロストークの周波数特性をそれぞれ示し、電気クロストークは、容量性の結合で生じる場合が多く、図８に示すように高周波になるほど振幅が大きくなるという周波数特性を有し、送受信信号が高速化するに従い、光クロストークに比べ電気クロストークの影響が大きくなるとともに、光クロストークにも存在する図７に示す周波数特性の影響が無視できなくなるという問題があった。
【００１１】
本発明は、上述した従来の問題を解決するためになされたもので、クロストーク信号を除去して優れた受信特性を得るクロストーク除去方法、クロストーク除去回路、並びにかかるクロストーク除去回路を備えた光送受信装置及び光送受信システムを提供することを目的とする。
【００１２】
【課題を解決するための手段】
上記目的を達成するために、本発明に係るクロストーク除去方法は、入力される電気データ信号を２つに分岐し、分岐された一方の電気データ信号を光信号に変換して送信し、分岐された他方の電気データ信号を電気クロストークの周波数特性とほぼ等しい周波数特性を有する周波数特性調整回路により周波数調整し、光ファイバを介して受信される光信号を変換した電気信号から周波数調整された電気信号を差し引くことで、送信信号が受信信号に漏れこむ電気クロストークを除去するものである。この方法により、電気クロストーク信号を除去することができる。
【００１３】
また、本発明に係るクロストーク除去方法は、入力される電気データ信号を２つに分岐し、分岐された一方の電気データ信号を光信号に変換して送信し、分岐された他方の電気データ信号を光クロストークの周波数特性とほぼ等しい周波数特性を有する周波数特性調整回路により周波数調整し、光ファイバを介して受信される光信号を変換した電気信号から周波数調整された電気信号を差し引くことで、送信信号が受信信号に漏れこむ光クロストークを除去するものである。この方法により、光クロストーク信号をより正確に除去することができる。
【００１４】
また、本発明に係るクロストーク除去回路は、入力される電気データ信号を分岐する分岐回路と、前記分岐回路の一方の出力信号の周波数特性を調整する周波数特性調整回路と、前記周波数特性調整回路の出力信号の振幅レベルを調整する振幅調整回路と、光ファイバから入力される光信号を変換した電気信号から前記振幅調整回路の出力信号を差し引く減算回路とを備えたものである。この構成により、クロストーク信号が除去される。またこれによって、クロストーク信号が少ない光送受信装置の提供が可能となる。
【００１５】
また、前記周波数特性調整回路は、電気クロストークの周波数特性とほぼ等しい周波数特性を有することを特徴とする。この構成により、電気クロストーク信号を除去することができる。このため、クロストーク信号が少ない光送受信装置の提供が可能となる。
【００１６】
また、前記周波数特性調整回路は、光クロストロークの周波数特性とほぼ等しい周波数特性を有することを特徴とする。この構成により、光クロストーク信号をより正確に除去することができる。このため、クロストーク信号が少ない光送受信装置の提供が可能となる。
【００１７】
また、前記分岐回路は、電気信号を入力して正相出力と逆相出力を送出するバッファ回路であり、前記周波数特性調整回路は、前記バッファ回路の逆相出力の高域成分を通過させる高域通過型フィルタであり、前記振幅調整回路は、抵抗素子であることを特徴とする。この構成により、電気クロストーク信号の周波数振幅特性を補正して除去することができる。このため、電気クロストーク信号が更に少ない光送受信装置の提供が可能となる。
【００１８】
また、前記分岐回路は、電気信号を入力して正相出力と逆相出力を送出するバッファ回路であり、前記周波数特性調整回路は、前記バッファ回路の逆相出力の低域成分を通過させる低域通過型フィルタであり、前記振幅調整回路は、抵抗素子であることを特徴とする。この構成により、光クロストーク信号の周波数振幅特性を補正して除去することができる。このため、光クロストーク信号が更に少ない光送受信装置の提供が可能となる。
【００１９】
また、前述したクロストーク除去回路に、周波数特性が調整される信号の位相を調整する位相調整回路を更に備えたことを特徴とする。この構成により、位相と周波数特性を併せて調整することができる。このため、クロストーク信号が更に少ない光送受信装置の提供が可能となる。
【００２０】
また、前述した電気クロストークを除去するクロストーク除去回路と、前述した光クロストークを除去するクロストーク除去回路とを備えたことを特徴とする。この構成により、光クロストーク信号と電気クロストーク信号を個別に除去することができる。このため、クロストーク信号が更に少ない光送受信装置の提供が可能となる。
【００２１】
また、本発明に係る光送受信装置は、前述したクロストーク除去回路と、前記分岐回路の他方の出力信号を入力する駆動回路と、前記駆動回路の出力に基づいて駆動し光信号を出力する発光素子とを有する光送信部と、前記発光素子から出力される光信号と伝送用光ファイバから入力される光信号を受信して電気信号に変換する受光素子と、前記受光素子の出力を増幅するプリアンプとを有する光受信部と、前記減算回路により前記光受信部の出力から前記振幅調整回路の出力を差し引いた信号を増幅する増幅回路と、前記増幅回路の出力信号からデータ信号とクロック信号を再生する電気回路とを備えたものである。この構成により、クロストーク信号が除去され、受信特性が良好な光送受信装置を提供することができる。
【００２２】
さらに、本発明に係る光伝送システムは、前述した光送受信装置として、送信する光信号と受信する光信号の波長が異なる２つの光送受信装置を備え、前記２つの光送受信装置を光ファイバで接続して対向させたことを特徴とする。この構成により、クロストーク除去回路を備えた光送受信装置を用いて、長距離伝送が可能な一芯双方向光伝送システムを提供することができる。
【００２３】
【発明の実施の形態】
以下、本発明の実施の形態について、図面を用いて説明する。
＜第１の実施の形態＞
図１は、本発明の第１の実施の形態に係る光送受信装置を示すブロック図である。図１に示すように、本発明の第１の実施の形態に係る光送受信装置１５は、入力される電気信号を光信号に変換する発光素子１、入力される光信号を電気信号に変換する受光素子２、受光素子２の微弱な出力電気信号を低雑音増幅するプリアンプ４と、発光素子１が出力する光信号を伝送用光ファイバ１６へ光学的に結合し、伝送用光ファイバ１６から入力される光信号を受光素子２へ光学的に結合する波長多重分離素子３により構成される光モジュール５を備えている。
【００２４】
また、光送受信装置１５は、光モジュール５の発光素子１を駆動するための駆動回路６と、入力される電気データ信号を分岐して駆動回路６に出力する正相出力とその逆位相の出力となる逆相出力を送出するバッファ回路７、振幅調整回路８、周波数特性調整回路９、位相調整回路１０及び減算回路１１から構成されるクロストーク除去回路１７と、減算回路１１を介してクロストークが差し引かれた光モジュール５のプリアンプ４が出力する電気信号の振幅を一定に制御して出力するＡＧＣアンプ１２と、ＡＧＣアンプ１２が出力する電気信号からクロック成分を抽出し再生するクロック再生回路１３と、ＡＧＣアンプ１２が出力する電気信号からクロック再生回路１３が出力するクロック信号を用いてデータ信号を再生するデータ再生回路１４とを備えている。
【００２５】
ここで、駆動回路６へ入力される電気信号がハイレベルであった場合にはプリアンプ４の出力もハイレベルに相当するレベルであるとしている。この関係が逆の場合には位相調整回路１０への入力はバッファ回路７の正相出力を２分岐するか、または、バッファ回路７の逆相出力に反転バッファ回路（不図示）を挿入し位相調整回路１０に入力する。
【００２６】
振幅調整回路８は、バッファ回路７の逆相出力の出力振幅を減衰させ調整し、減算回路１１は、プリアンプ４の出力から振幅調整回路８の出力を引き算する。
周波数特性調整回路９は、電気クロストークが空間結合で生じるために容量結合型の高域通過型フィルタになるように、つまり電気クロストークの周波数特性になるように設定されていて、図２に示す特性を有している。位相調整回路１０は、バッファ回路７の正相出力が駆動回路６に入力され、電気クロストークとなりプリアンプ４に出力される位相に調整されている。なお、ＡＧＣアンプ１２は、入力される信号の振幅を制限して出力するダイナミックレンジの広いリミッティングアンプであってもよい。また、振幅調整回路８は、抵抗素子であってもよい。
【００２７】
以上のように構成された光送受信装置の動作を説明する。まず、光送受信装置１５に入力された電気信号は、バッファ回路７により２分岐され、一方の正相出力は駆動回路６に入力される。駆動回路６により発光素子１を駆動し、よって電気信号は光信号に変換され、波長多重分離素子３を介して伝送用光ファイバ１６に入力されて光信号として伝送される。伝送用光ファイバ１６から入力された光信号は、波長多重分離素子３を介して受光素子２に入力され、プリアンプ４により低雑音増幅される。
【００２８】
ここで、図１に実線の矢印で表した光クロストークと点線の矢印で表した電気クロストークにより、自局が送信した信号も一緒に出力される。バッファ回路７の他方の逆相出力は位相調整回路１０と周波数特性調整回路９及び振幅調整回路８により、電気クロストークレベルの位相が打ち消され、周波数特性と振幅が等しくなるように合わせられている。そのため、減算回路１１により、プリアンプ４の出力から振幅調整回路８の出力が差し引かれると、自局が送信するクロストークは振幅調整回路８の出力により打ち消されＡＧＣアンプ１２へ出力される。この信号は、ＡＧＣアンプ１２により増幅され、クロック再生回路１３とデータ再生回路１４によりデータ信号とクロック信号が再生されて出力される。
【００２９】
したがって、本発明の第１の実施の形態の光送受信装置によれば、自局が送信するデータ信号を事前に２分岐し、位相調整回路１０と周波数特性調整回路９及び振幅調整回路８により位相と周波数特性及び振幅を調整後、受信信号から差し引くことで、受信特性を劣化させる電気クロストーク成分を除去することができるため、受信特性が優れた一芯双方向光通信システム用の光送受信装置を提供することができる。
【００３０】
＜第２の実施の形態＞
図３は、本発明の第２の実施の形態に係る周波数調整回路９の周波数特性図である。本発明の第２の実施の形態の光送受信装置は、図１に示した第１の実施の形態と構成を同じくし、周波数特性調整回路９の周波数特性が異なるものである。第２の実施の形態の周波数特性調整回路９は、駆動回路６と発光素子１と受光素子２とプリアンプ４の周波数特性の合計、つまり光クロストークの周波数特性とほぼ等しい低域通過型フィルタになるように設定され、図３に示す特性を有している。また、振幅調整回路８は、抵抗素子であってもよい。
【００３１】
以上のように構成された光送受信装置の動作を説明する。まず、光送受信装置１５に入力された電気信号は、バッファ回路７により２分岐され、一方の正相出力は駆動回路６に入力される。駆動回路６により発光素子１を駆動し光信号に変換され、波長多重分離素子３を介して伝送用光ファイバ１６に入力されて光信号として伝送される。伝送用光ファイバ１６から入力された光信号は、波長多重分離素子３を介して受光素子２に入力され、プリアンプ４により低雑音増幅される。
【００３２】
ここで、図１に実線の矢印で表した光クロストークと点線の矢印で表した電気クロストークにより、自局が送信した信号も一緒に出力される。バッファ回路７の他方の逆相出力は、位相調整回路１０と周波数特性調整回路９と振幅調整回路８により、光クロストークレベルの位相が打ち消され、周波数特性と振幅が等しくなるように合わせられている。そのため、減算回路１１により、プリアンプ４の出力から振幅調整回路８の出力が差し引かれると、自局が送信するクロストークは振幅調整回路８の出力により打ち消されＡＧＣアンプ１２へ出力される。この信号は、ＡＧＣアンプ１２により増幅され、クロック再生回路１３とデータ再生回路１４によりデータ信号とクロック信号が再生されて出力される。
【００３３】
したがって、本発明の第２の実施の形態の光送受信装置によれば、自局が送信するデータ信号を事前に２分岐し、位相調整回路１０と周波数特性調整回路９及び振幅調整回路８により位相と周波数特性及び振幅を調整後、受信信号から差し引くことで、受信特性を劣化させる光クロストーク成分を除去することができるため、受信特性が優れた一芯双方向光通信システム用の光送受信装置を提供することができる。
【００３４】
＜第３の実施の形態＞
図４は、本発明の第３の実施の形態に係る光送受信装置を示すブロック図である。図４に示すように、本発明の第３の実施の形態の光送受信装置２２は、図１に示した第１の実施の形態のバッファ回路７の逆相出力を分岐回路１８により２分岐した後に、一方は、光クロストークの周波数特性と振幅を調整するための周波数特性調整回路１９ａを介して振幅調整回路２０ａに供給し、他方は、電気クロストークの周波数特性と振幅を調整するための周波数特性調整回路１９ｂを介して振幅調整回路２０ｂに供給して、減算回路１１ａと１１ｂにより、プリアンプ４からの出力をそれぞれ差し引くクロストーク除去回路２１を構成した点で第１の実施の形態と異なる。
【００３５】
周波数特性調整回路１９ａの周波数特性は、図３に示したように、駆動回路６と発光素子１と受光素子２とプリアンプ４の周波数特性の合計、つまり光クロストークの周波数特性とほぼ等しくなるように設定され、周波数特性調整回路１９ｂは、図２に示したように、電気クロストークが空間結合で生じるために容量結合型の高域通過型フィルタになるように、つまり電気クロストークの周波数特性になるように設定されている。
【００３６】
以上のように構成された光送受信装置の動作を説明する。まず、光送受信装置２２に入力された電気信号は、バッファ回路７により２分岐され、一方の正相出力は駆動回路６に入力される。駆動回路６により発光素子１を駆動し、よって電気信号は光信号に変換され、波長多重分離素子３を介して伝送用光ファイバ１６に入力されて光信号として伝送される。伝送用光ファイバ１６から入力された光信号は、波長多重分離素子３を介して受光素子２に入力され、プリアンプ４により低雑音増幅される。
【００３７】
ここで、図４に実線の矢印で表した光クロストークと点線の矢印で表した電気クロストークにより、自局が送信した信号も一緒に出力される。バッファ回路７の他方の逆相出力は分岐回路１８により更に２分岐され、光クロストークを除去するための信号と、電気クロストークを除去するための信号に分けられる。光クロストークを除去するために、周波数特性調整回路１９ａは、駆動回路６と発光素子１と受光素子２とプリアンプ４の周波数特性の合計とほぼ等しくなるように設定され、電気クロストークを除去するために、周波数特性調整回路１９ｂは、電気クロストークが空間結合で生じるために容量結合型の高域通過型フィルタになるように設定されている。
【００３８】
そのため、減算回路１１ａ、１１ｂにより、プリアンプ４の出力から振幅調整回路２０ａ、２１の出力がそれぞれ差し引かれると、自局が送信するクロストークはより厳密に打ち消されＡＧＣアンプ１２へ出力される。この信号は、ＡＧＣアンプ１２により増幅され、クロック再生回路１３とデータ再生回路１４によりデータ信号とクロック信号が再生されて出力される。
【００３９】
したがって、本発明の実施の形態３の光送受信装置によれば、自局が送信するデータ信号を事前に２分岐し、周波数特性調整回路１９ａ、１９ｂ及び振幅調整回路２０ａ、２０ｂにより周波数特性及び振幅を調整後、受信信号から差し引くことで受信特性を劣化させる光クロストーク及び電気クロストーク成分を除去することができるため、受信特性が優れた一芯双方向光通信システム用の光送受信装置を提供することができる。
【００４０】
＜第４の実施の形態＞
図５は、本発明の第４の実施の形態に係る光伝送システムを示すブロック図である。光送受信装置２３、２４は、第１の実施の形態から第３の実施の形態で示した光送受信装置と同一の構成を有するものであり、互いに通信が成立するように、すなわち、光送受信装置２３が出力する光信号の波長を光送受信装置２４が受信でき、光送受信装置２４が出力する光信号の波長（光送受信装置２３が出力する光信号の波長とは異なる波長）を光送受信装置２３が受信できるように、発光素子、受光素子及び波長多重分離素子が選定されている。また、光送受信装置２３と２４は、伝送用光ファイバ１６で接続され対向して配置されている。
【００４１】
以上のように構成された光伝送システムの動作を説明する。データ信号（ＤＡＴＡ）が光送受信装置２３に入力されると、光信号に変換され、伝送用光ファイバ１６に入力される。その後、伝送用光ファイバ１６により伝送され、光送受信装置２４に入力されて、データ信号とクロック信号（ＣＬＫ）が出力される。また同様に、データ信号が光送受信装置２４に入力されると、光信号に変換され、伝送用光ファイバ１６に入力される。その後、伝送用光ファイバ１６により伝送され、光送受信装置２３に入力されて、データ信号とクロック信号が出力される。
【００４２】
このように、本発明の第４の実施の形態の光伝送システムによれば、自局の光信号が受信光信号を妨害することなく、良好な一芯双方向の光伝送を具現化することができる。
【００４３】
【発明の効果】
以上のように本発明によれば、入力される電気データ信号を２つに分岐し、分岐された一方の電気データ信号を光信号に変換して送信し、分岐された他方の電気データ信号を電気クロストークの周波数特性とほぼ等しい周波数特性を有する周波数特性調整回路により周波数調整し、光ファイバを介して受信される光信号を変換した電気信号から周波数調整された電気信号を差し引くことで、送信信号が受信信号に漏れこむ電気クロストークまたは光クロストロークを除去することができ、クロストーク信号を除去して優れた受信特性を得るクロストーク除去方法、クロストーク除去回路、並びに当該クロストーク除去回路を備えた光送受信装置及び光送受信システムを提供することができる。
【図面の簡単な説明】
【図１】本発明の第１の実施の形態に係る光送受信装置を示すブロック図
【図２】本発明の第１の実施の形態に係る周波数特性調整回路の周波数特性図
【図３】本発明の第２の実施の形態に係る周波数特性調整回路の周波数特性図
【図４】本発明の第３の実施の形態に係る光送受信装置を示すブロック図
【図５】本発明の第４の実施の形態に係る光伝送システムを示すブロック図
【図６】従来の光送受信装置を示すブロック図
【図７】光クロストークの周波数特性図
【図８】電気クロストークの周波数特性図
【符号の説明】
１  発光素子
２  受光素子
３  波長多重分離素子
４  プリアンプ
５  光モジュール
６  駆動回路
７  バッファ回路
８、２０ａ、２０ｂ  振幅調整回路
９、１９ａ、１９ｂ  周波数特性調整回路
１０  位相調整回路
１１、１１ａ、１１ｂ  減算回路
１２  ＡＧＣアンプ
１３  クロック再生回路
１４  データ再生回路
１５、２２、２３、２４  光送受信装置
１６  伝送用光ファイバ
１７、２１  クロストーク除去回路
１８  分岐回路
【図１】
2005027196.tif 000003
【図２】
2005027196.tif 000004
【図３】
2005027196.tif 000005
【図４】
2005027196.tif 000006
【図５】
2005027196.tif 000007
【図６】
2005027196.tif 000008
【図７】
2005027196.tif 000009
【図８】
2005027196.tif 000010